(57)【要約】【課題】送出すべき放送内容が正しく送出されているか否かをチェックすることを可能とする。【解決手段】系統内において、ＴＳ中に含まれるＰＡＴ、ＰＭＴを一次解析装置１１により取得し、該ＰＡＴまたはＰＭＴに時計１３により計時される時刻情報を付加して記憶装置１２に記憶しておく。そして、このＰＡＴまたはＰＭＴで指定されるＰＩＤつまり送出予定のＴＳパケットに対応するＰＩＤと、実際に送られてくるＴＳパケットに対応するＰＩＤとを比較し、一致したＴＳパケットに時刻情報を付加して二次解析装置１４に出力することにより、二次解析装置１４にてＰＡＴまたはＰＭＴの取得時から指定のＴＳパケットを取得するまでにかかる取得時間が指定時間以上であるか否かを判定する。【選択図】　　図１
2004088331.tif 000002
【特許請求の範囲】
【請求項１】
互いに送出内容が異なる複数の伝送ブロックを配列し、各伝送ブロック毎に自ブロックを識別するための識別情報が付加されかつ該識別情報を管理するための情報ブロックを含む１系統のデジタル放送信号について、異常判定を行うデジタル放送信号送出監視装置であって、
前記デジタル放送信号から前記情報ブロックを取得する第１のブロック取得手段と、
この第１のブロック取得手段で取得された情報ブロックを記憶する記憶手段と、
この記憶手段に記憶された情報ブロック中の識別情報に対応する伝送ブロックを、前記デジタル放送信号の中から取得する第２のブロック取得手段と、
前記第１のブロック取得手段による取得時から前記第２のブロック取得手段による取得時までにかかる取得時間が指定時間以上であるか否かを判定し、この判定結果に基づいて前記デジタル放送信号の異常判定を行う制御手段とを具備することを特徴とするデジタル放送信号送出監視装置。
【請求項２】
互いに送出内容が異なる複数の伝送ブロックを配列し、各伝送ブロック毎に自ブロックを識別するための識別情報が付加されかつ該識別情報を管理するための情報ブロックを含む複数系統のデジタル放送信号について、異常判定を行うデジタル放送信号送出監視装置であって、
前記複数系統のデジタル放送信号からそれぞれ前記情報ブロックを取得する第１のブロック取得手段と、
この第１のブロック取得手段で取得された情報ブロックを系統別に管理して記憶する記憶手段と、
この記憶手段に記憶された系統ごとの情報ブロック中の識別情報に対応する伝送ブロックを、前記複数系統のデジタル放送信号の中から取得する第２のブロック取得手段と、
前記第１のブロック取得手段による取得時から前記第２のブロック取得手段による取得時までにかかる取得時間、または前記第１及び第２のブロック取得手段のいずれか一方による取得時刻について、系統間で指定時間以上の時間差があるか否かを判定し、この判定結果に基づいて前記デジタル放送信号の異常判定を行う制御手段とを具備することを特徴とするデジタル放送信号送出監視装置。
【請求項３】
前記デジタル放送信号がＭＰＥＧ（Ｍｏｖｉｎｇ　Ｐｉｃｔｕｒｅ　ＥｘｐｅｒｔｓＧｒｏｕｐ）で規定されるＴＳ（Ｔｒａｎｓｐｏｒｔ　Ｓｔｒｅａｍ）で、前記情報ブロックとしてＰＡＴ（Ｐｒｏｇｒａｍ　Ａｓｓｏｃｉａｔｉｏｎ　Ｔａｂｌｅ）、ＰＭＴ（Ｐｒｏｇｒａｍ　Ｍａｐ　Ｔａｂｌｅ）、各ストリームの関係で結びつく情報を含むとき、前記第１のブロック取得手段は、前記１系統または複数系統のデジタル放送信号からそれぞれ前記ＰＡＴ、ＰＭＴ、各ストリームの関係で結びつく情報のいずれか一つを取得することを特徴とする請求項１または２記載のデジタル放送信号送出監視装置。
【請求項４】
時刻を計時する計時手段をさらに備え、
前記第１のブロック取得手段は、取得した情報ブロックに対し取得時に前記計時手段で得られる時刻情報を付加し、
前記第２のブロック取得手段は、取得した伝送ブロックに対し取得時に前記計時手段で得られる時刻情報を付加し、
前記制御手段は、前記第１及び第２のブロック取得手段でそれぞれ得られる時刻情報に基づいて、前記取得時間、または前記第１及び第２のブロック取得手段のいずれか一方による取得時刻について、系統内または系統間で指定時間以上の時間差があるか否かを判定し、この判定結果に基づいて前記デジタル放送信号の異常判定を行うことを特徴とする請求項１または２記載のデジタル放送信号送出監視装置。
【請求項５】
前記伝送ブロックに送出内容のバージョン情報が付加されているとき、
時刻を計時する計時手段と、
前記第２のブロック取得手段で得られる伝送ブロックのバージョン情報を系統別に記憶するバージョン情報記憶手段と、
このバージョン情報記憶手段に記憶されているバージョン情報と、前記第２のブロック取得手段で得られる新たな伝送ブロックのバージョン情報とを系統別に比較することで、該当する伝送ブロックの送出内容が更新されたか否かを判定する更新判定手段と、
この更新判定手段により伝送ブロックの送出内容が更新されたと判定された場合に、その更新時に前記計時手段により計時される時刻情報を該当する伝送ブロックに付加する時刻付加手段とをさらに備え、
前記制御手段は、系統間における送出内容の更新時刻の時間差が指定時間以上であるか否かを判定し、この判定結果に基づいて前記デジタル放送信号の異常判定を行うことを特徴とする請求項２記載のデジタル放送信号送出監視装置。
【請求項６】
前記制御手段は、前記デジタル放送信号が異常である旨を判定した場合に、この異常である旨をアラームとして外部に報知するアラーム出力手段を備えることを特徴とする請求項１または２記載のデジタル放送信号送出監視装置。
【請求項７】
請求項１記載のデジタル放送信号送出監視装置を用いて前記デジタル放送信号の異常判定を行うデジタル放送信号送出監視方法であって、
前記第１のブロック取得手段に入力されるデジタル放送信号から前記情報ブロックを取得する第１の過程と、
この第１の過程で取得された情報ブロックを記録媒体に記憶する第２の過程と、
前記記録媒体に記憶された情報ブロック中の識別情報に対応する伝送ブロックを、前記デジタル放送信号の中から取得する第３の過程と、
前記第１の過程による取得時から前記第３の過程による取得時までにかかる取得時間が指定時間以上であるか否かを判定し、この判定結果に基づいて前記デジタル放送信号の異常判定を行う第４の過程とを具備することを特徴とするデジタル放送信号送出監視方法。
【請求項８】
請求項２記載のデジタル放送信号送出監視装置を用いて前記デジタル放送信号の異常判定を行う送出監視方法であって、
前記第１のブロック取得手段に入力される複数系統のデジタル放送信号からそれぞれ前記情報ブロックを取得する第１の過程と、
この第１の過程で取得された情報ブロックを系統別に管理して記録媒体に記憶する第２の過程と、
前記記録媒体に記憶された系統ごとの情報ブロック中の識別情報に対応する伝送ブロックを、前記複数系統のデジタル放送信号の中から取得する第３の過程と、
前記第１の過程による取得時から前記第３の過程による取得時までにかかる取得時間、前記第１及び第３の過程のいずれか一方で得られる取得時刻について、系統間で指定時間以上の時刻差があるか否かを判定し、この判定結果に基づいて前記デジタル放送信号の異常判定を行う第４の過程とを具備することを特徴とするデジタル放送信号送出監視方法。
【発明の詳細な説明】
【０００１】
【発明の属する技術分野】
この発明は、例えば複数系統のＴＳを取り扱うデジタル放送信号送出システムに係り、特に系統内及び系統間のＴＳの送出状況を監視するデジタル放送信号送出監視装置及びデジタル放送信号送出監視方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
これらのデジタル放送においては、ＭＰＥＧ（Ｍｏｖｉｎｇ　Ｐｉｃｔｕｒｅ　Ｅｘｐｅｒｔｓ　Ｇｒｏｕｐ）規格に従って生成されたＴＳ（Ｔｒａｎｓｐｏｒｔ　Ｓｔｒｅａｍ）の切り替え、同期化、多重化などの信号処理を施すスタジオ機器が必要不可欠であるとともに、ＴＳパケットが正しく送出されているか否かをチェックするための監視装置も必要不可欠である。
この種の監視装置としては、例えば現用・予備の二重化構成とし、各系統のＴＳの送出状況を監視するものがある。
【０００４】
【発明が解決しようとする課題】
ところで、従来では、ＴＳパケットが送出されているか否かの他に、送出すべき内容が正しく送出されているか否か、または変更すべき時刻に送出内容が正しく変更されているか否かをチェックできる監視装置が要望視されている。しかしながら、送出すべき内容が正しく送出されているか否か、または変更すべき時刻に送出内容が正しく変更されているか否かをチェックする監視装置については、まだ検討段階であって実現されていないのが現状である。
そこで、この発明の目的は、送出すべき放送内容が正しく送出されているか否かをチェックすることが可能なデジタル放送信号送出監視装置及びデジタル放送信号送出監視方法を提供することにある。
【０００５】
【課題を解決するための手段】
この発明は、上記目的を達成するために、以下のように構成される。
（１）互いに送出内容が異なる複数の伝送ブロックを配列し、各伝送ブロック毎に自ブロックを識別するための識別情報が付加されかつ該識別情報を管理するための情報ブロックを含む１系統のデジタル放送信号について、異常判定を行うデジタル放送信号送出監視装置であって、デジタル放送信号から情報ブロックを取得する第１のブロック取得手段と、この第１のブロック取得手段で取得された情報ブロックを記憶する記憶手段と、この記憶手段に記憶された情報ブロック中の識別情報に対応する伝送ブロックを、デジタル放送信号の中から取得する第２のブロック取得手段と、第１のブロック取得手段による取得時から第２のブロック取得手段による取得時までにかかる取得時間が指定時間以上であるか否かを判定し、この判定結果に基づいてデジタル放送信号の異常判定を行う制御手段とを備えるようにしたものである。
【０００６】
（１）の発明によれば、デジタル放送信号中に含まれる情報ブロックを取得して記録媒体に記録しておき、この記録した情報ブロックに含まれる識別情報に対応する伝送ブロックを、送られてくるデジタル放送信号から取得することで、実際に伝送ブロックを取得するまでにかかる取得時間が指定時間以上であるか否かが判定される。従って、この判定結果に基づいて、系統内においてデジタル放送信号が出力されているか否か、もしくは所定時間以上遅れているか否かの判定を行うことができ、これにより、送出すべき放送内容が正しく送出されているか否かのチェックを行うことができる。
【０００７】
（２）互いに送出内容が異なる複数の伝送ブロックを配列し、各伝送ブロック毎に自ブロックを識別するための識別情報が付加されかつ該識別情報を管理する情報ブロックを含む複数系統のデジタル放送信号について、異常判定を行うデジタル放送信号送出監視装置であって、複数系統のデジタル放送信号からそれぞれ情報ブロックを取得する第１のブロック取得手段と、この第１のブロック取得手段で取得された情報ブロックを系統別に管理して記憶する記憶手段と、この記憶手段に記憶された系統ごとの情報ブロック中の識別情報に対応する伝送ブロックを、複数系統のデジタル放送信号の中から取得する第２のブロック取得手段と、第１のブロック取得手段による取得時から第２のブロック取得手段による取得時までにかかる取得時間、または第１及び第２のブロック取得手段のいずれか一方による取得時刻について、系統間で指定時間以上の時間差があるか否かを判定し、この判定結果に基づいてデジタル放送信号の異常判定を行う制御手段とを備えるようにしたものである。
【０００８】
（２）の発明によれば、デジタル放送信号中に含まれる情報ブロックを取得して系統ごとに記録媒体に記録しておき、各系統ごとに記録した情報ブロックに含まれる識別情報に対応する伝送ブロックを、系統ごとに送られてくるデジタル放送信号の中から取得することで、系統ごとに伝送ブロックを取得するまでにかかる取得時間が求められ、系統間における時間差が指定時間以上であるか否かが判定される。従って、これら判定結果に基づいて、系統間においてデジタル放送信号が正しく送出されているか否かの判定を行うことができる。特に、各系統で同じ番組を放送しているときに、有効となる。
【０００９】
（３）第１のブロック取得手段は、取得した情報ブロックに対し取得時の時刻情報を付加し、第２のブロック取得手段は、取得した伝送ブロックに対し取得時の時刻情報を付加し、制御手段は、第１及び第２のブロック取得手段でそれぞれ得られる時刻情報に基づいて、伝送ブロックが得られるまでの取得時間を求め、系統間もしくは系統内における取得時間の差が指定時間以上であるか否かを判定し、この判定結果に基づいてデジタル放送信号の異常判定を行うことを特徴とする。
（３）の発明によれば、情報ブロックの取得時から情報ブロック中の識別情報に対応する伝送ブロックの取得時までの取得時間を常に正確に求めることができ、これにより系統間または系統内における時間差が指定時間内にあるか否かを正確に判断することができる。
【００１０】
（４）第２のブロック取得手段で得られる伝送ブロックのバージョン情報を系統別に記憶するバージョン情報記憶手段と、このバージョン情報記憶手段に記憶されているバージョン情報と、第２のブロック取得手段で得られる新たな伝送ブロックのバージョン情報とを系統別に比較することで、該当する伝送ブロックの送出内容が更新されたか否かを判定する更新判定手段と、この更新判定手段により伝送ブロックの送出内容が更新されたと判定された場合に、その更新時の時刻情報を該当する伝送ブロックに付加する時刻付加手段とをさらに備え、制御手段は、系統間における送出内容の更新時の時間差が指定時間以上であるか否かを判定し、この判定結果に基づいてデジタル放送信号の異常判定を行うことを特徴とする。
【００１１】
（４）の発明によれば、情報ブロック中の識別情報に一致した伝送ブロックのバージョン情報を記憶しておき、この記憶したバージョン情報と新たに送られたバージョン情報とを比較することで送出内容の更新の有無が判定される。そして更新された場合に、その更新時の時刻情報が該当する伝送ブロックに付加されることになる。したがって、系統間において、送出内容の更新が指定時間内に正しく行われたか否かの判断を行うことができる。
【００１２】
【発明の実施の形態】
以下、この発明の実施形態について図面を参照して詳細に説明する。
図１は、この発明に係わるデジタル放送信号送出監視装置の概略構成図である。
図１において、符号１１は一次解析装置で、ｎ系統のＴＳを取込み、各系統のＴＳ中のＰＡＴ（Ｐｒｏｇｒａｍ　Ａｓｓｏｃｉａｔｉｏｎ　Ｔａｂｌｅ）の解析処理を行って、図２に示す関係からＰＭＴ（Ｐｒｏｇｒａｍ　Ｍａｐ　Ｔａｂｌｅ）のＰＩＤ（Ｐａｃｋｅｔ　ＩＤ）を抜き出し、このＰＭＴを系統別に管理して記憶装置１２に記憶する。この記憶の際に、時計１３で計時される時刻情報をＰＭＴに付加するとともに、該時刻情報を二次解析装置１４に通知する。そして、一次解析装置１１は、記憶装置１２に記憶された系統ごとのＰＭＴで指定されたＰＩＤと一致するＴＳパケットを、図３に示すように、時計１３で計時される最終入力時刻、バージョン番号、変更時刻（バージョン番号が変更された時刻）を付加したフォーマットにして、記憶装置１２に記憶するととも、二次解析装置１４に出力する。
【００１３】
二次解析装置１４は、ＰＡＴの取得時刻、ＰＡＴの取得時から指定のＴＳパケットの取得時までに要する取得時間のいずれか一方について、系統内または系統間で指定時間以上の時間差があるか否かを判定し、指定時間以上の時間差がある場合に、ＴＳが異常であると判定し、外部にアラームを通知する。なお、指定時間については、別途提供される放送進行表に基づくものとする。
【００１４】
次に、上記構成による処理動作について説明する。
すなわち、一次解析装置１１は、図４に示すような制御処理を実行する。この制御処理を開始すると、一次解析装置１１は、各系統のＴＳからＰＡＴを取得し（ステップＳＴ４ａ）、このＰＡＴに時計１３で計時される時刻情報を付加して記憶装置１２に記憶するとともに（ステップＳＴ４ｂ）、このＰＡＴの内容からＰＭＴの内容を算出して、記憶装置１２にその内容を記憶し（ステップＳＴ４ｃ）、到来するＴＳパケットのＰＩＤがＰＭＴで指定されたＰＩＤに一致するか否かの判断を行う（ステップＳＴ４ｄ）。
【００１５】
ここで、一致したならば、一次解析装置１１は該当するＴＳパケットに時計１３で計時される時刻情報を付加して記憶装置１２に記憶するとともに（ステップＳＴ４ｅ）、当該ＴＳパケットを二次解析装置１４に出力する（ステップＳＴ４ｆ）。続いて、一次解析装置１１は、記憶装置１２に記憶されたＴＳパケットのバージョン番号と新たに到来するＴＳパケットのバージョン番号とを比較して、送出内容が更新されたか否かの判断を行う（ステップＳＴ４ｇ）。そして、更新がなければ、ＰＡＴ及びＰＭＴが変更されない限り、上記ステップＳＴ４ｄ乃至ステップＳＴ４ｇの処理を繰り返し実行するが、更新があった場合には、その更新時刻を該当するＴＳパケットに付加して二次解析装置１４に出力する（ステップＳＴ４ｈ）。
なお、ＰＡＴ、ＰＭＴが変更された場合、一次解析装置１１は、関係している各情報を破棄し、再度上記ステップＳＴ４ａからの処理を実行する。
【００１６】
次に、系統内において、ＰＡＴ内で指定されているＰＭＴのＰＩＤとＴＳパケットのＰＩＤとが一致するまでに要する時間が指定時間以上であるか否かを判定する場合、二次解析装置１４は、図５に示すような制御処理を実行する。すなわち、ＰＡＴを受信することにより制御処理を開始すると、二次解析装置１４は、ＰＡＴ内で指定されているＰＭＴのＰＩＤと一致するＴＳパケットを取得し、同様に、ＰＭＴ内で指定されている映像、音声等のＰＩＤと一致するＴＳパケットを取得する（ステップＳＴ５ａ）。そして、ＰＡＴ−ＰＭＴ間の時間差及びＰＭＴ−映像間の時間差が指定時間以上であるか否かの判断を行う（ステップＳＴ５ｂ）。この指定時間としては、ＰＡＴ−ＰＭＴ間で２秒、ＰＭＴ−映像間で１秒に指定されている。
【００１７】
ここで、図６に示すように、ＰＡＴ−ＰＭＴ間の時間差、ＰＭＴ−映像間の時間差が指定時間内であるならば、二次解析装置１４は、ＴＳが正常であると判定して処理を終了する。一方、図７に示すように、ＰＡＴ−ＰＭＴ間の時間差が３秒である場合に、二次解析装置１４は、ＴＳが異常であると判定して、外部にアラームを出力する（ステップＳＴ５ｃ）。なお、この異常判定は、ＰＩＤ別に行う。
【００１８】
さらに、各系統別に、同じＰＩＤ、ＴＩＤの変更時刻に指定された時刻以上に差異がでるか否かを判定する場合、二次解析装置１４は、図８に示すような制御処理を実行する。ここでは、放送進行表に従い、例えば映像がＨＤＴＶ（Ｈｉｇｈ　Ｄｅｆｉｎｉｔｉｏｎ　ＴＶ）からＳＤＴＶ（Ｓｔａｎｄａｒｄ　Ｄｅｆｉｎｉｔｉｏｎ　ＴＶ）へ変更すべき時刻、また音声のモード変更を行うべき時刻に、全系統で正しく変更されたか否かを判断する。
【００１９】
すなわち、二次解析装置１４は、各系統ごとのＰＡＴを取得し（ステップＳＴ８ａ）、各系統間でＰＡＴに付加されたバージョン番号の変更時刻を比較し（ステップＳＴ８ｂ）、各系統間の変更時刻差が指定時間以上であるか否かの判断を行う（ステップＳＴ８ｃ）。この指定時間としては、ＰＡＴ間で２秒に指定されている。
【００２０】
ここで、図９に示すように、各系統間の変更時刻差が指定時間内であるならば、二次解析装置１４は、放送進行表に基づき例えばＨＤＴＶからＳＤＴＶへ変更しなければならない時刻にＴＳが正しく変更されたと判定して処理を終了する。一方、図１０に示すように、系統間の時間差が３秒である場合に、二次解析装置１４は、系統間におけるバージョン変化に異常が生じたと判定して、外部にアラームを出力する（ステップＳＴ８ｄ）。また、ある系統で変更すべき時刻に全く変更されなかった場合にも、外部にアラームを出力する。
【００２１】
以上のように上記実施形態では、系統内において、ＴＳ中に含まれるＰＡＴ、ＰＭＴを一次解析装置１１により取得し、該ＰＡＴ、ＰＭＴに時刻情報を付加して記憶装置１２に記憶しておき、このＰＡＴ，ＰＭＴで指定されるＰＩＤつまり本来送出すべきＴＳパケットに対応するＰＩＤと、実際に送られてくるＴＳパケットに対応するＰＩＤとを比較し、一致したＴＳパケットに時刻情報を付加して二次解析装置１４に出力することにより、二次解析装置１４にてＰＡＴ、ＰＭＴの取得時から実際にＴＳパケットを取得するまでにかかる取得時間が指定時間以上であるか否かもしくはＴＳパケットが取得できたか否かが判定される。
【００２２】
従って、この判定結果に基づいて、系統内においてＴＳが出力されているか否か、もしくは所定時間以上遅れているか否かの判定を行うことで、ＴＳの異常判定を行うことができる。そして、ＴＳが異常である場合に、外部にアラームが発せられるので、送出すべきＴＳに異常が発生した旨を外部に知らせることができ、これにより復旧操作などの対応処置を迅速に講じることが可能となる。
【００２３】
また、一次解析装置１１にて、取得したＰＡＴ、ＰＭＴ、指定のＴＳパケットに対し時計１３で計時される時刻情報を付加するようにしているので、ＰＡＴ、ＰＭＴの取得時から指定のＴＳパケットの取得時までの時間を常に正確に求めることができ、これにより時間差が指定時間内にあるか否かを正確に判断することができる。
【００２４】
さらに、一次解析装置１１では、各系統別のＰＡＴ、ＰＭＴにより指定されるＴＳパケットのバージョン番号を記憶装置１２に記憶しておき、この記憶したバージョン番号をもとに該当するＴＳパケットの送出内容の更新の有無を判定し、更新された場合にその更新時の時刻情報が該当するＴＳパケットに付加されて二次解析装置１４に出力されることになる。したがって、系統間において、ＴＳパケットの送出内容の更新が指定時間内に正しく行われたか否かの判断を行うことができる。そして、各系統間で指定時間以上の時間差が生じたり、全く変更されない系統があった場合に、異常と判断してアラームを出力することができる。
【００２５】
なお、上記実施形態では、系統内でＴＳに異常が発生したか否かを判断する例について説明したが、系統間でＴＳに異常が発生したか否かを判断することも可能である。この場合、バージョンの変更時刻以外の時刻を用いて、各系統間で時間差が指定時間以上であるか否かを判断することで各系統間のＴＳの異常判断を行うことができる。これは、系統間で同一の放送番組を放送している場合に、有効である。
また、上記実施形態では、ＰＡＴ、ＰＭＴを取得する例について説明したが、ＰＡＴ、ＰＭＴ、各ストリームの関係で結びつく情報のいずれか一つを取得するようにしてもよい。
【００２６】
さらに、上記実施形態では、ＭＰＥＧ規格のＴＳを取り扱う例について説明したが、本発明はこれに限定されるものではなく、例えばＭＰＥＧ以外に、互いに送出内容が異なる複数の伝送ブロックを配列し、各伝送ブロック毎に自ブロックを識別するための識別情報が付加されかつ該識別情報を管理する情報ブロックを含むデジタル放送信号を取り扱うものについても適用可能である。この場合、情報ブロックの取得時から情報ブロックで指定される伝送ブロックの取得時までにかかる時間が指定時間以上であるか否かを判定することにより、デジタル放送信号の異常判定を行うことが可能となる。
その他、デジタル放送信号送出監視装置の構成や種類、デジタル放送信号の種類、デジタル放送信号の異常判定方法等についても、この発明の要旨を逸脱しない範囲で種々変形して実施できる。
【００２７】
【発明の効果】
以上詳述したようにこの発明によれば、送出すべき放送内容が正しく送出されているか否かをチェックすることが可能なデジタル放送信号送出監視装置及びデジタル放送信号送出監視方法を提供することができる。
【図面の簡単な説明】
【図１】この発明の一実施形態に係るデジタル放送信号送出監視装置の概略構成を示すブロック図。
【図２】同実施形態で取り扱うＴＳの構造を示す図。
【図３】同実施形態で取り扱うＴＳの内容を示す図。
【図４】図１に示した一次解析装置の制御手順及び制御内容を示すフローチャート。
【図５】図１に示した二次解析装置の系統内のＴＳの異常を判定する際の制御手順及び制御内容を示すフローチャート。
【図６】同実施形態において、系統内のＴＳが正常である場合を示す図。
【図７】同実施形態において、系統内のＴＳが異常である場合を示す図。
【図８】図１に示した二次解析装置のＴＳの更新変化を判定する際の制御手順及び制御内容を示すフローチャート。
【図９】同実施形態において、ＴＳの更新が正常に行なわれた場合を示す図。
【図１０】同実施形態において、ＴＳの更新が異常である場合を示す図。
【符号の説明】
１１…一次解析装置、
１２…記憶装置、
１３…時計、
１４…二次解析装置。
【図１】
2004088331.tif 000003
【図２】
2004088331.tif 000004
【図３】
2004088331.tif 000005
【図４】
2004088331.tif 000006
【図５】
2004088331.tif 000007
【図６】
2004088331.tif 000008
【図７】
2004088331.tif 000009
【図８】
2004088331.tif 000010
【図９】
2004088331.tif 000011
【図１０】
2004088331.tif 000012